(57)【要約】【課題】多機能化や表示種段の大型化を実現するとともに、携帯性に優れた情報処理装置を提供する。【解決手段】ファクシミリ装置親機Ｄはファクシミリ装置本体Ａと表示ユニットＢとから成る。表示ユニットＢは、ファクシミリ装置本体Ａに装着された状態でも、取り外した状態でも使用可能である。ユーザは、表示ユニットＢに備えられたユニット側操作キー２１を操作して、ファクシミリ装置本体Ａでファクシミリ受信した画像データを、表示ユニットＢの表示パネル２３で確認したり、撮像部２２によって撮影した画像データを、ファクシミリ装置本体Ａに送信し、ファクシミリ装置本体Ａを介してファクシミリ送信したりする。【選択図】      図１
2004164574.tif 000002
【特許請求の範囲】
【請求項１】
表示手段を備える表示ユニットと、
前記表示手段を制御する表示制御信号の作成を含む予め定める情報処理を行う情報処理装置本体とを備え、
前記表示ユニットと前記情報処理装置本体とを無線通信によって接続するとともに、表示ユニットを前記情報処理装置本体に対して着脱可能に構成したことを特徴とする情報処理装置。
【請求項２】
表示手段を備える表示ユニットと、
前記表示手段を制御する表示制御信号の作成を含む予め定める情報処理を行う情報処理装置本体とを備え、
前記表示ユニットと前記情報処理装置本体とを無線通信によって接続するとともに、表示ユニットを前記情報処理装置本体とは別体として構成したことを特徴とする情報処理装置。
【請求項３】
情報処理装置本体と、情報処理装置本体に着脱可能に装着され、操作部を備える表示ユニットとを有し、
前記表示ユニットは、入射光を電気信号に変換して画像データを作成する撮像手段を有する撮像ユニットを備え、前記撮像手段によって作成された前記画像データを、前記表示手段に表示させ、情報処理装置本体に装着した状態では、情報処理装置本体の操作表示部として制御され、情報処理装置本体から離脱させた状態では、少なくとも撮像装置として制御されることを特徴とする情報処理装置。
【請求項４】
前記表示ユニットは操作指示手段を備え、
前記操作指示手段は、ユーザが操作することで前記表示手段、前記情報処理装置本体の少なくとも一方に対する動作指示を入力できることを特徴とする請求項１〜３のいずれか１つに記載の情報処理装置。
【請求項５】
前記表示ユニットは、入射光を電気信号に変換して画像データを作成する撮像手段を有する撮像ユニットを備え、
前記撮像手段によって作成された前記画像データを前記表示手段に表示し、
前記情報処理装置本体に前記画像データを無線通信によって送信することを特徴とする請求項１〜４のいずれか１つに記載の情報処理装置。
【請求項６】
前記撮像ユニットは、前記表示ユニットから着脱可能に構成されるとともに、互いに異なる複数の装着姿勢で前記表示ユニットに装着されるように構成され、
いずれの装着姿勢であっても、前記表示ユニットに対して電気的に接続されるように構成されることを特徴とする請求項４または５に記載の情報処理装置。
【請求項７】
前記表示ユニットは、前記撮像ユニットの前記装着姿勢に基づいて撮像手段の光軸方向を検出する検出手段を備えることを特徴とする請求項６に記載の情報処理装置。
【請求項８】
前記表示ユニットは、前記撮像ユニットと装着するための挿入凹所を有し、
前記撮像ユニットは、前記表示ユニットの前記挿入凹所に挿入して接続する挿入部を備え、
前記挿入部の表面には前記撮像手段の前記光軸方向と所定の位置関係にある被検出部が設けられ、前記検出手段は、前記撮像ユニットの装着時に、前記挿入部の前記被検出部が前記挿入凹所内のいずれの位置にあるかを検出し、前記被検出部の位置より、前記装着姿勢に基づいて光軸方向を検出することを特徴とする請求項７に記載の情報処理装置。
【発明の詳細な説明】
【０００１】
【発明の属する技術分野】
本発明は、表示手段を備える表示ユニットと、表示手段を制御する表示制御信号の作成を含む予め定める情報処理を行う情報処理装置本体とを備える情報処理装置に関する。
【０００２】
【従来の技術】
情報化が進む現在において、ファクシミリ装置、電話機、携帯電話機、パーソナルコンピュータ（以下、「ＰＣ」と略称する。）などの通信装置・情報処理装置の発達は目覚ましい。
【０００３】
たとえば、ファクシミリ装置は画像データなどの送受信を行うべく、ファクシミリ送受信機能を搭載し、電話機は通話を行うべく通話機能を搭載し、情報処理装置は演算処理を行うべく演算処理機能を搭載している。これらの装置では、前記の基本的な機能の他にさらに多彩な機能を搭載したものが種々開発されている。たとえば、以下の特許文献１〜１１には撮像部を搭載した通信装置・情報処理装置が提案されている。そのうち、特許文献１〜５はいわゆるテレビ電話機に関するものである。
【０００４】
特許文献１に記載のテレビ電話機では、被写体を撮影するテレビカメラ部（撮像部）が電話機本体から分離可能となるように構成されている。こうすることで、テレビカメラ部のみを動かして被写体に向けることが可能となり、電話機本体を動かさずに被写体を撮影することができる。
【０００５】
特許文献２に記載のテレビ電話機では、撮像素子を備えた分離部（撮像部）が電話機本体から分離可能に構成されるとともに、分離部（撮像部）の装着状態によって、撮影した映像の表示方法を変える構成となっている。
【０００６】
分離部が電話機本体に装着されている状態では、被写体となるのは分離部の正面で通話を行っている通話者であることが想定される。この場合、表示部に表示される映像を実像とすると、通常は、鏡に写る自己の鏡像しか目にしていない通話者にとって違和感を与えることになる。したがって、分離部が電話機本体に装着されている状態では、表示部に左右反転させた映像を表示させ、違和感を解消している。
【０００７】
また、分離部が電話機本体に装着されていない状態では、被写体となるのは分離部の正面で通話を行っている通話者以外であることが想定される。この場合は、撮影した映像を実像にて表示させても何ら問題がないのでそのまま表示する。
【０００８】
前述のような構成によって、通話者に違和感を与えることのない使い勝手のよいテレビ電話機を提供している。
【０００９】
特許文献３に記載のテレビ電話機では、液晶表示パネルを配置した表示部と、この表示部の側面部に対して一体的に取り付けられ撮像部とからなる撮像部が、電話機本体から着脱できるように構成されている。また、撮像部をその長手方向と垂直な方向に回動自在に構成されている。こうすることで、撮像部の操作性を向上させている。
【００１０】
特許文献４に記載のテレビ電話機では、電話機本体に接続された撮像用のカメラ（撮像部）の位置を自由に変更できるように構成されている。こうすることで、カメラの位置を自由に変更することで、ユーザは所望の位置および角度でカメラを使用することができる。
【００１１】
特許文献５に記載のテレビ電話機では、着脱自在なビデオカメラを、電話機本体の背面に設けられた凹部に装着させ、ビデオカメラを電話機本体の背面に隠すように構成されている。こうすることで、ビデオカメラ（撮像部）の装着時、分離時における視野方向のデザイン上の自由度を高め、かつ、ビデオカメラを安定に保持することができる。
【００１２】
さらに、テレビ電話機以外にも撮像部を搭載した通信装置・情報処理装置が以下の特許文献６〜１１に記載されている。
【００１３】
特許文献６に記載の携帯用無線電話装置は、電話装置本体に着脱自在な撮像手段（撮像部）を備えることで、撮像手段にて撮影した映像を、通話先の相手に音声情報とともに送信することができる。
【００１４】
特許文献７に記載の携帯用無線電話装置は、電話機本体に取り付けられた撮像部（撮像部）が回転自在に構成されている。これによって、電話機本体の表示部によって被写体を確認しながら、被写体を撮影することができる。
【００１５】
特許文献８に記載の携帯情報端末装置は、入力手段を備えた携帯情報端末装置の表示部の裏側に、画像取込機、撮影用カメラ（撮像部）あるいはプリンタが、物理的および電気的に着脱自在となっている。こうすることで、装着させた画像取込機などにより、携帯情報端末装置に情報を取り込んだり、出力したりすることができる。
【００１６】
特許文献９に記載の電子スチルカメラは、薄型のカード体からなるカメラ本体（撮像部）、記憶媒体、液晶表示部およびモデムカードと、これらを選択的に装着させるアタッチメントから構成されている。こうすることで、カメラの小型化、軽量化が図れ、かつ、薄型でありながら多機能化を可能にしている。
【００１７】
このように、携帯性に優れた装置に撮像部を搭載することで、出先などで撮影した画像を活用し、情報伝達を効果的に行うことができる。
【００１８】
また、特許文献１０に記載の画像入力装置によると、撮像機器（撮像部）を電子機器本体に接続端子などのコネクタで取り付けることで、撮像機器を電子機器に電気的に接続することができる構成としている。こうすることで、撮像機器の取付・取外を簡単に行えるようにしている。また、この場合、接続ケーブルを使用する必要がなくなる。
【００１９】
また、特許文献１１に記載のＰＣカードカメラによると、自在継手部に装着されたビデオカメラ（撮像部）部が設けられたカメラカード本体に、切欠きを設けている。この切欠きによって、カード本体が逆方向に挿入されるのを防止することができる。
【００２０】
このように、撮像部を接続端子などで接続させることで、取り付け・取り外しが簡単となる。また、切欠きを設けるという単純な構造によって、ＰＣカードカメラが逆方向に挿入されるのを防止することができる。
【００２１】
【特許文献１】
特開平２−７７８６号公報（第２−３頁、第１図）
【特許文献２】
実開平３−９５８９号公報（第６−１３頁、第１，２図）
【特許文献３】
特開平１１−３１７９０２号公報（第３−５頁、第５図）
【特許文献４】
特開平３−２８９８９１号公報（第２−３頁、第１，７，１０図）
【特許文献５】
特開平４−５３３４０号公報（第３−４頁、第１〜６図）
【特許文献６】
特開平３−１０９８９１号公報（第２−３頁、第３，４図）
【特許文献７】
特開平９−１３０４８９号公報（第４−５頁、第１〜３，５図）
【特許文献８】
特開平９−２３１２４５号公報（第３−５頁、第６，１１図）
【特許文献９】
特開平９−６９９６８号公報（第３−５頁、第１〜４図）
【特許文献１０】
特開平９−２９４２２１号公報（第３−５頁、第１〜８図）
【特許文献１１】
特開平８−９８０７６号公報（第３−４頁、第１，６図）
【００２２】
【発明が解決しようとする課題】
特許文献１〜５の技術に記載のテレビ電話機のように、撮像部を電話機本体から着脱が可能な構成とすると、電話機本体の正面に存在する被写体以外の被写体も最適な方向から撮影することができ、使い勝手がよいものとなっている。
【００２３】
しかしながら、専用ケーブルなどによって電話機本体に接続されている撮像部については、撮像部を移動させることができる範囲は限られている。したがって、撮影できる被写体の範囲は限定される。また、撮像部を電話機本体から分離することができる撮像部についても、撮影した画像を電話機本体に取り込ませる場合には、撮像部を電話機本体に装着する必要があり、撮像部と電話機本体とを常時分離した状態でテレビ電話機として使用することができないという問題がある。さらに、電話機本体は電話回線などの固定回線に接続されているため、テレビ電話機の使用場所・用途は一定の範囲に制限されてしまう。
【００２４】
また、撮像部は通常、撮影を行うカメラ部とファインダとから成るが、取り外し可能なカメラ部にファインダを搭載した場合、構造が複雑となるうえ、表示部としての機能を兼ねたＬＣＤ（Liquid Crystal Display）などを搭載するとコスト高となる。
【００２５】
一方、特許文献６〜９の技術によると、携帯性に優れた装置に撮像部を搭載することで、ユーザは出先において正確な情報を入手したり、これを伝達したりすることができる。しかしながら、これらの装置では携帯性が重視されるため、装置の大きさは一定以下に限定され、装置に搭載されている各構成装置の大きさも限定される。したがって、情報を伝達する表示部も最低限の大きさしかないことから、微細な画像などが表示部に表示されると、ユーザには画像を判別できない場合が生じる。
【００２６】
このように、情報処理装置に対しては、携帯性の向上、多機能化、表示部の大型化などの要求がなされている。
【００２７】
しかしながら、携帯性を重視した場合は、情報処理装置の大きさが制限されてしまうので、多機能化や表示部の大型化には限度がある。一方、多機能化や表示部の大型化を実現した場合は、必然的に情報処理装置が大型化し、携帯性が損なわれてしまう。したがって、多機能化や表示部の大型化を実現するとともに、携帯性に優れた情報処理装置が切望されている。
【００２８】
本発明の目的は、多機能化や表示手段の大型化を実現するとともに、携帯性に優れた情報処理装置を提供することである。
【００２９】
【課題を解決するための手段】
本発明は、表示手段を備える表示ユニットと、
前記表示手段を制御する表示制御信号の作成を含む予め定める情報処理を行う情報処理装置本体とを備え、
前記表示ユニットと前記情報処理装置本体とを無線通信によって接続するとともに、表示ユニットを前記情報処理装置本体に対して着脱可能に構成したことを特徴とする情報処理装置である。
【００３０】
本発明に従えば、表示ユニットは情報処理装置本体と無線通信によって接続され、かつ、情報処理装置から着脱可能に構成されている。したがって、情報処理装置を構成する表示ユニットは、情報処理装置本体から取り外された状態でも、情報処理装置本体からの表示制御信号に基づいて画像や情報処理結果を表示することができる。
【００３１】
これによって、情報処理装置が行う情報処理の対象を増加させて多機能化を実現し、情報処理装置本体が大型化しても、表示ユニットを取り外して使用できるので、携帯性を損なうことはない。また、表示手段の大型化を実現し、表示ユニットが大型化しても、表示ユニットのみを取り外して利用するので、携帯性を損なうことはない。したがって、多機能化や表示手段の大型化を図り、かつ、携帯性に優れた情報処理装置を実現することができる。
【００３２】
また本発明は、表示手段を備える表示ユニットと、
前記表示手段を制御する表示制御信号の作成を含む予め定める情報処理を行う情報処理装置本体とを備え、
前記表示ユニットと前記情報処理装置本体とを無線通信によって接続するとともに、表示ユニットを前記情報処理装置本体とは別体として構成したことを特徴とする情報処理装置である。
【００３３】
本発明に従えば、表示ユニットは情報処理装置本体と無線通信によって接続され、かつ、情報処理装置とは別体として構成されている。したがって、情報処理装置を構成する表示ユニットは、情報処理装置本体からの表示制御信号に基づいて画像や情報処理結果を表示することができる。
【００３４】
これによって、情報処理装置が行う情報処理の対象を増加させて多機能化を実現し、情報処理装置本体が大型化しても、表示ユニットを別体として使用できるので、携帯性を損なうことはない。また、表示手段の大型化を実現し、表示ユニットが大型化しても、表示ユニットのみを別体として利用するので、携帯性を損なうことはない。したがって、多機能化や表示手段の大型化を図り、かつ、携帯性に優れた情報処理装置を実現することができる。
【００３５】
また本発明は、情報処理装置本体と、情報処理装置本体に着脱可能に装着され、操作部を備える表示ユニットとを有し、
前記表示ユニットは、入射光を電気信号に変換して画像データを作成する撮像手段を有する撮像ユニットを備え、前記撮像手段によって作成された前記画像データを、前記表示手段に表示させ、情報処理装置本体に装着した状態では、情報処理装置本体の操作表示部として制御され、情報処理装置本体から離脱させた状態では、少なくとも撮像装置として制御されることを特徴とする情報処理装置である。
【００３６】
本発明に従えば、情報処理装置本体には、表示ユニットが着脱可能に装着される。この表示ユニットは、撮像ユニットを備え、撮像ユニットは撮像手段を有する。前記撮像手段は、入射光を電気信号に変換して画像データを作成し、この画像データは表示手段に表示される。このような表示ユニットは、情報処理装置本体に装着した状態では、情報処理装置本体の操作表示部として制御され、表示手段に前記撮像手段によって作成された画像データを表示させて画像を確認することができるとともに、操作に関するガイダンス情報などを表示させて、使用者へ操作に関する情報を提供することができる。また、前記表示ユニットを情報処理装置本体から離脱させた状態では、この表示ユニットが少なくとも撮像装置として制御されるので、表示ユニットを希望する方向に向けて撮像し、その画像を表示手段によって確認することができる。
【００３７】
このように表示ユニットは、情報処理装置本体に装着された状態では操作表示部として機能し、情報処理装置本体から離脱させた状態では撮像装置として機能するので、表示ユニットの自由度および利用範囲が格段に広がり、使用者の利便性が向上される。
【００３８】
また本発明は、前記表示ユニットは操作指示手段を備え、
前記操作指示手段は、ユーザが操作することで前記表示手段、前記情報処理装置本体の少なくとも一方に対する動作指示を入力できることを特徴とする。
【００３９】
本発明に従えば、表示ユニットに備えられた操作指示手段がユーザに操作されることによって、表示手段あるいは情報処理装置本体のうち、少なくとも一方に対する動作指示をする。
【００４０】
このように、表示ユニットに操作指示手段が備えられているので、操作指示手段によって、情報処理装置本体に対し、動作指示をすることができ、操作性に優れるものとなる。たとえば、情報処理装置がファクシミリ装置である場合、ファクシミリ装置本体が情報処理を行うことによって作成した画像データを、表示ユニットに送信するよう指示することができるので、情報処理装置本体にて作成された画像データのうち、ユーザの所望の画像データを選択して表示手段に表示させることができ、利便性が高まる。
【００４１】
また本発明は、前記表示ユニットは、入射光を電気信号に変換して画像データを作成する撮像手段を有する撮像ユニットを備え、
前記撮像手段によって作成された前記画像データを前記表示手段に表示し、
前記情報処理装置本体に前記画像データを無線通信によって送信することを特徴とする。
【００４２】
本発明に従えば、表示ユニットには撮像ユニットが備えられており、撮像手段によって作成された画像データは表示手段によって表示され、画像データは無線通信によって情報処理装置本体に送信される。
【００４３】
このように、表示ユニットに撮像ユニットが備えられることにより、表示手段は撮像手段によって作成された画像データを取り込むことができ、また、これを情報処理装置本体に無線によって送信することができるので、情報収集など様々な用途に活用することができ、利便性が高まる。たとえば、撮像手段によって作成された画像データを無線通信によってファクシミリ装置などの情報処理装置の本体に送信することで、様々な画像データをファクシミリ装置本体に記憶させることができる。
【００４４】
また、表示ユニットを撮像ユニットのファインダとして用いることもできるので、表示手段の利用範囲が広がり、利便性が高まる。
【００４５】
また本発明は、前記撮像ユニットは、前記表示ユニットから着脱可能に構成されるとともに、互いに異なる複数の装着姿勢で前記表示ユニットに装着されるように構成され、
いずれの装着姿勢であっても、前記表示ユニットに対して電気的に接続されるように構成されることを特徴とする。
【００４６】
本発明に従えば、撮像ユニットは表示ユニットから着脱可能であり、ユーザは互いに異なる複数の装着姿勢で表示ユニットに装着されることが可能である。このとき、撮像ユニットがいずれの装着姿勢であっても、表示ユニットに対して電気的に接続される。
【００４７】
このように、撮像ユニットは着脱可能であり、また、複数の装着姿勢に応じて撮像手段の光軸方向を複数変えて装着することが可能となるので、撮像手段の撮影範囲が広がる。また、装着姿勢がいずれの方向であっても、装着がなされると撮像ユニットは電気的に接続されるので、光軸方向を変更する場合には、撮像ユニットを装着し直すだけでよく、変更作業の手間が省ける。
【００４８】
また本発明は、前記表示ユニットは、前記撮像ユニットの前記装着姿勢に基づいて撮像手段の光軸方向を検出する検出手段を備えることを特徴とする。
【００４９】
本発明に従えば、検出手段によって、表示手段に撮像ユニットが装着されたときの装着姿勢に基づいて撮像手段の光軸方向が検出される。このように、装着姿勢を検出することによって、これに基づく光軸方向はいずれの方向であるかを判断できるようになる。
【００５０】
また本発明は、前記表示ユニットは、前記撮像ユニットと装着するための挿入凹所を有し、
前記撮像ユニットは、前記表示ユニットの前記挿入凹所に挿入して接続する挿入部を備え、
前記挿入部の表面には前記撮像手段の前記光軸方向と所定の位置関係にある被検出部が設けられ、前記検出手段は、前記撮像ユニットの装着時に、前記挿入部の前記被検出部が前記挿入凹所内のいずれの位置にあるかを検出し、前記被検出部の位置より、前記装着姿勢に基づいて光軸方向を検出することを特徴とする。
【００５１】
本発明に従えば、表示ユニットには撮像ユニットと装着するための挿入凹所を有し、撮像ユニットには光軸方向と所定の位置関係にある被検出部を有した挿入部が設けられる。検出手段は、撮像ユニットの装着時に、被検出部が挿入凹所内のいずれかの位置にあるかを検出し、被検出部の位置に基づいて装着姿勢を検出する。そして、撮像ユニットの装着姿勢に基づいて、撮像手段の光軸方向を検出する。このように、被検出部を設け、その被検出部の位置が挿入凹内のいずれの位置にあるかを判断することによって、装着姿勢を検出することができるので、装着姿勢に基づく光軸方向を検出することができる。
【００５２】
また、表示ユニットは、撮像ユニットと装着するための挿入凹所を有し、撮像ユニットには光軸方向と所定の位置関係にある被検出部を有する挿入部が設けられる。検出手段は、撮像ユニットの装着時に、被検出部が挿入凹所内のいずれかの位置にあるかを検出し、被検出部の位置に基づいて装着姿勢を検出する。そして、撮像ユニットの装着姿勢に基づいて、撮像手段の光軸方向を検出する。このように、被検出部を設け、その被検出部の位置が挿入凹内のいずれの位置にあるかを判断することによって、装着姿勢を検出することができるので、装着姿勢に基づく光軸方向を検出することができる。
【００５３】
【発明の実施の形態】
本発明は、たとえば、装着、あるいは分離可能な表示部を有し、表示部とファクシミリ装置本体とが通信を行うことができるファクシミリ装置およびこの表示部である。ただし、本発明は、ファクシミリ装置に限定されるものではなく、たとえば、パーソナルコンピュータ、ＰＤＡ（Personal Digital Assistants）のような表示部を有する情報処理装置であってもよい。以下、ファクシミリ装置の例について説明する。なお、表示部は表示手段を構成する。
【００５４】
図１は、ファクシミリ装置Ｆの斜視図である。ファクシミリ装置Ｆは、ファクシミリ装置本体Ａ、表示ユニットＢおよびファクシミリ装置子機Ｃから構成される。表示ユニットＢは着脱可能であるので、ファクシミリ装置本体Ａから取り外した状態で使用することができる。ここでのファクシミリ装置本体Ａは情報処理装置本体であって、表示ユニットＢは表示手段を構成する。
【００５５】
図２は、ファクシミリ装置親機Ｄの構成を示すブロック図である。ファクシミリ装置親機Ｄはファクシミリ装置本体Ａと表示ユニットＢとから成る。表示ユニットＢは、ファクシミリ装置本体Ａに装着された状態でも、取り外した状態でも使用可能であるが、図１には表示ユニットＢを取り外した状態での構成を示している。
【００５６】
ファクシミリ装置本体Ａは、送受話器１、網制御部２、ダイヤルキー３、操作キー４、アンテナ５ａ，５ｂ、モデム６、制御部７、コードレス用制御回路８、印刷部９、画像読取部１０、画像記憶部１１および本体側通信制御部１１０で構成される。
【００５７】
表示ユニットＢは、ユニット側アンテナ５ｃ、ユニット側操作キー２１、撮像部２２、表示パネル２３、ユニット側通信制御部２４、ユニット側記憶部２５およびユニット側制御部２６で構成される。なお、ユニット側操作キー２１は操作指示手段を構成する。
【００５８】
ファクシミリ装置親機Ｄは、網制御部２によって電話回線網１１１に接続される。まず、ファクシミリ装置本体Ａの各構成装置について説明する。
【００５９】
網制御部２は、電話回線網１１１の状況を監視するとともに、回線をモデム６側と、送受話器１側およびコードレス用制御回路８側とに切り替える。
【００６０】
モデム６は、画像のディジタル信号を電話回線網１１１に適したアナログ信号に変調する。また、電話回線網１１１に適した画像のアナログ信号を印刷に適したディジタル信号に復調する。
【００６１】
制御部７は、記憶部１１２に記憶されているプログラムとあいまって、ダイヤルキー３、操作キー４からの入力情報や、ファクシミリ装置本体Ａの各部からの状態を示す情報や、電話回線網１１１を介して送信される信号などをもとに、ファクシミリ装置本体Ａ全体の動作を決定する。動作が決定すると、制御部７は各部に対し指令を与える。たとえば、印刷部９に、画像を印刷するよう指令を与える。また、制御部７は、ファクシミリ送信の時間を短縮させるため、画像データを圧縮したり、圧縮された画像データをもとのピクセル列情報に戻したりする。
【００６２】
アンテナ５ａは、後述するコードレスのファクシミリ装置子機Ｃと通信するために、ファクシミリ装置子機Ｃのアンテナに向けて電波を発信したり、ファクシミリ装置子機Ｃのアンテナからの電波を受信したりする。コードレス用制御回路８は、ファクシミリ装置子機Ｃとの通信を制御する装置であり、ファクシミリ装置子機Ｃと通信するための通信路の探索、接続の確立、通話、電波発信、受信を行うためのチューナなどを含んでいる。なお、ファクシミリ装置本体Ａは、１台あるいは複数台のコードレスのファクシミリ装置子機Ｃとの無線接続が可能である。
【００６３】
アンテナ５ｂは、表示ユニットＢと通信する場合に、表示ユニットＢのユニット側アンテナ５ｃに向けて電波を発信したり、ユニット側アンテナ５ｃからの電波を受信したりする。本体側通信制御部１１０は、ファクシミリ装置本体Ａと表示ユニットＢとの通信を制御する。
【００６４】
ただし、本発明の通信手段は、アナログ無線通信手段に限られるものではなく、ディジタル無線通信手段、赤外線通信手段、Ｂｌｕｅｔｏｏｔｈ規格による通信手段であってもよい。なお、ファクシミリ装置本体Ａと表示ユニットＢとの通信手段に、ファクシミリ装置本体Ａとファクシミリ装置子機Ｃとの通信手段を用いれば、ファクシミリ装置本体Ａは表示ユニットＢとの通信が可能となるので、この場合には、ファクシミリ装置本体Ａに本体側通信制御部１１０およびアンテナ５ｂを設ける必要はない。
【００６５】
ダイヤルキー３はファクシミリ通信先の電話番号を特定し、操作キー４はファクシミリ送信などを指示する。また、送受話器１はスピーカとマイクを内蔵し、音声の授受を行う。ユーザはダイヤルキー３および操作キー４によって、ファクシミリ通信を行うことができ、送受話器１によって通話ができる。
【００６６】
印刷部９は、ファクシミリ受信した画像データ、または画像読取部１０で読み取った画像データを画像として印刷用紙に印刷する。印刷部９の印刷方式にはサーマル方式、電子写真方式、インクジェット方式などが用いられる。
【００６７】
画像読取部１０は、ファクシミリ送信を行ったり、複写したりするために原稿を読み取る読取装置である。画像読取部１０には、レンズとＣＣＤ（ChargeCoupled Device）ラインセンサの組合による縮小読取方式、ロッドレンズアレーを用いた密着センサー方式などが用いられる。
【００６８】
記憶部１１２は、フラッシュメモリから成り、制御部７に制御を行わせるファームウェアプログラム、あるいはソフトウェアプログラムなどを記憶する。
【００６９】
画像記憶部１１は、ファクシミリ受信した画像データ、または画像読取部１０で読み取った画像データを記憶する。ファクシミリ装置本体Ａはこの画像記憶部１１を備えることで、多くの複雑な機能、たとえば受信した画像データの転送、同報、印刷用紙切時の代行受信、メモリ送信などの機能が可能となる。さらに、カラー画像を扱うファクシミリ装置において、画像記憶部１１は、カラーを表現する色空間座標間の変換、ＪＰＥＧ（Joint Photographic Expert Group）方式での画像圧縮などを行うのに必須の装置となっている。
【００７０】
次に、表示ユニットＢの各構成装置について説明する。
撮像部２２は、ＣＣＤなどの撮像素子から成るカメラ部を備え、被写体を撮影することができる。この撮像部２２は、表示ユニットＢに着脱自在に装備できるよう構成されている。なお、撮像部２２は撮像手段を構成する。
【００７１】
ユニット側通信制御部２４は、本体側通信制御部１１０と通信を行う。ユニット側制御部２６は、各部の動作状態を把握し、各部に対して動作を指令する。
【００７２】
ユニット側記憶部２５は、通信制御部ファクシミリ装置本体Ａから表示ユニットＢに送信された画像データ、撮像部２２で撮影した画像データなどを記憶する。
【００７３】
表示パネル２３は、ユニット側通信制御部２４がファクシミリ装置本体Ａから受信した画像データ、たとえばファクシミリ装置本体Ａがファクシミリ受信した画像データ、画像読取部１０で読み取った画像データ、および撮像部２２で撮影した画像データを画像として表示する。
【００７４】
ユニット側操作キー２１は、ファクシミリ装置本体Ａの操作キーと同様の機能を有し、ユーザによって操作されることにより、表示ユニットＢのみならず、ファクシミリ装置本体Ａに対する指示を入力することができる。たとえば、ユニット側操作キー２１を操作することで、ファクシミリ装置本体Ａでファクシミリ受信した画像データを表示パネル２３で表示させるよう指示したり、撮像部２２によって撮影した画像データを、ファクシミリ装置本体Ａを介してファクシミリ送信するよう指示したりすることができる。これによって、ユーザは、表示ユニットＢを、ファクシミリ装置本体Ａから分離した状態で、別個に使用することができるので、ファクシミリ装置本体Ａから離れた場所で、ファクシミリ装置本体Ａを操作することができ、ファクシミリ装置Ｆの用途が広がり、利便性が高まる。
【００７５】
ユニット側操作キー２１の操作により、ファクシミリ装置本体Ａでファクシミリ受信した画像データを表示パネル２３で表示させるよう指示した場合、その処理は以下のようになる。
【００７６】
まず、ユーザによって操作がなされることにより、ユニット側操作キー２１から指示が入力されると、ユニット側制御部２６からユニット側通信制御部２４に指示が送信される。ユニット側通信制御部２４は、受信した指示を、ユニット側アンテナ５ｃを介しファクシミリ装置本体Ａに送信する。
【００７７】
ファクシミリ装置本体Ａ側では、本体側通信制御部１１０がアンテナ５ｂを介して指示を受信すると、制御部７は指示に基づいて画像記憶部１１に記憶されている受信画像データを読み出す。そして、本体側通信制御部１１０は、読み出された受信画像データを、アンテナ５ｂからユニット側アンテナ５ｃを介してユニット側通信制御部２４に送信する。
【００７８】
ユニット側通信制御部２４が受信画像データを受信すると、ユニット側制御部２６は、表示パネル２３に受信画像データを表示させる。
【００７９】
また、ユニット側操作キー２１の操作により、撮像部２２によって撮影された画像データを、ファクシミリ装置本体Ａを介してファクシミリ送信するよう指示した場合、その処理は以下のようになる。
【００８０】
まず、ユーザによって操作がなされることにより、ユニット側操作キー２１から指示が入力されると、ユニット側制御部２６はユニット側記憶部２５に記憶されている撮影画像データを読み出し、ファクシミリ送信先の電話番号とともに、これをユニット側通信制御部２４に送信する。ユニット側通信制御部２４は、撮像画像データおよび電話番号を、ユニット側アンテナ５ｃを介してファクシミリ装置本体Ａに送信する。
【００８１】
ファクシミリ装置本体Ａ側では、本体側通信制御部１１０が、アンテナ５ｂを介して撮像画像データおよび電話番号を受信する。制御部７は、撮像画像データを一旦、画像記憶部１１に記憶させる。そして、制御部７は、受信した電話番号でダイヤル発信し、画像記憶部１１に記憶された画像データを、モデム６、網制御部２を経由して電話回線網１１１から送信先のファクシミリ装置Ｆに送信する。
【００８２】
このように、表示ユニットＢは、ファクシミリ装置本体Ａに対し、各種指示を送信したり、画像データの送受信を行ったりすることができるので、ファクシミリ装置子機Ｃと同様の機能を有することになるが、表示ユニットＢには、ファクシミリ装置子機Ｃの表示部よりも大きな画面を有するため、画像の内容の確認が容易となる。
【００８３】
表示ユニットＢがファクシミリ装置本体Ａに接続しているときは、ファクシミリ装置本体Ａの電源である商用交流電源を用いて動作し、ファクシミリ装置本体Ａから取り外されたときは、２次電池を用いて動作する。２次電池は、表示ユニットＢがファクシミリ装置本体Ａに接続されている際に充電される。なお、クレードルのような個別の充電装置によって充電することもできる。さらに、充電不可能な１次電池を用いることもできる。
【００８４】
次に、ファクシミリ装置本体Ａに表示ユニットＢが装着されている状態のファクシミリ装置親機Ｄについて説明する。図３は、ファクシミリ装置親機Ｄの斜視図である。
【００８５】
図に示すようにファクシミリ装置親機Ｄは、略長方体状の筺体Ａ１から成る。筺体Ａ１は、前面側が低く、背面側が高く形成され、筺体Ａ１の上面は傾斜面となっている。筺体Ａ１の上面には、左端から送受話器１、表示ユニットＢ、ダイヤルキー３が、ダイヤルキー３の下方には操作キー４が配置されている。
【００８６】
表示ユニットＢは、略正方形状の板状体であって、図に示すように筺体Ａ１に装着することができ、図中の矢印の方向に倒すことで、ファクシミリ装置本体Ａに収納できるように構成されている。表示ユニットＢの表面には表示パネル２３が備えられ、表示パネル２３の付近にはユニット側操作キー２１および撮像部２２が備えられる。
【００８７】
ファクシミリ装置本体Ａと表示ユニットＢとを装着する着脱機構は、特に限定されるものではなく、既存の機構を用いることができる。たとえば、図示しない表示ユニットＢの背面に設けられた嵌合部が、ファクシミリ装置本体Ａの所定部に嵌合することで装着されてもよい。また、互いに異なる極性を持つ磁石をファクシミリ装置本体Ａ、表示ユニットＢがそれぞれ備え、磁石によって装着されてもよい。
【００８８】
ファクシミリ筺体Ａ１の前面側には原稿・記録紙排紙口３１０が設けられ、背面側には原稿・記録紙カセット３８が備えられている。原稿・記録紙カセット３８は、略長方形状であって、筺体Ａ１の背面側に一定の傾斜角度で装着しており、上面には原稿ガイド３９が配置されている。
【００８９】
そして、筺体Ａ１の背面側の右端には、アンテナ５ａ（５ｂ）が備えられている。表示ユニットＢ、ダイヤルキー３、操作キー４は、筺体Ａ１上面に配置される。筺体Ａ１の上面は傾斜面としているので、ユーザにとって操作しやすくなっている。ファクシミリ送信を行う場合、ユーザが送信したい原稿を原稿・記録紙カセット３８にセットし、ダイヤルキー３を操作して送信先の電話番号を特定し、操作キー４の中の送信キーを押すと、原稿が読み取られ画像データが送信される。ユーザは送受話器１によって通話することもできる。
【００９０】
原稿・記録紙カセット３８には、受信した画像データを画像として出力するために記録紙を装填する。原稿・記録紙カセット３８は、また、ファクシミリ送信時には読取原稿を装填するスタッカにもなり、原稿・記録紙カセット３８の上面に配置される原稿ガイド３９によって用紙のずれが防止される。印刷後の記録紙や、読取後の原稿は、原稿・記録紙排紙口３１０より排出される。
【００９１】
表示ユニットＢは、ファクシミリ受信した画像データ、画像読取部１０で読み取った画像データ、撮像部２２で撮影した画像データを画像として表示パネル２３に表示させたり、ガイダンス情報を表示させたりする。
【００９２】
このように、ユーザは、表示パネル２３に表示された画像によって、画像データの内容を確認することができる。たとえば、ファクシミリ受信した画像データをまず表示パネル２３で確認し、不要なものであれば画像として印刷せずに、画像データを消去することができる。また、画像読取部１０で読み取った画像データを表示パネルで確認してから、ファクシミリ送信を指示することができるので、利便性、操作性が向上される。
【００９３】
なお、ファクシミリ装置本体Ａの動作環境を決定する各種パラメータの設定も、表示ユニットＢ、操作キー４およびダイヤルキー３によって行うことができる。
【００９４】
次に、表示ユニットＢについて説明する。図４は、表示ユニットＢを拡大した斜視図である。表示ユニットＢは、ファクシミリ装置本体Ａから分離した状態で独立して用いられてもよいし、図３に示すように、表示ユニットＢはファクシミリ装置本体Ａに装着された状態で用いられてもよい。
【００９５】
図４に示すように、表示ユニットＢは略正方形状の板状体である筺体Ｂ１の表面には、略正方形状の表示パネル２３が備えられ、表示パネル２３の下側にはユニット側操作キー２１が備えられている。表示ユニットＢの右端には撮像部２２が装着されている。撮像部２２を右端に装着することで、ユーザは表示ユニットＢを左手で持ちながら右手で操作できるので使い勝手がよい。ファクシミリ装置本体Ａから取り外した際、携帯するのに、ユニット側アンテナ５ｃおよびを備える。撮像部２２にはカメラ部３１が備えられている。
【００９６】
前述のように、ユーザはユニット側操作キー２１を操作して、ファクシミリ装置本体Ａでファクシミリ受信した画像データを表示パネル２３で確認したり、撮像部２２によって撮影した画像データを、ファクシミリ装置本体Ａに送信し、ファクシミリ装置本体Ａを介してファクシミリ送信したりすることができる。
【００９７】
ユニット側アンテナ５ｃは、ファクシミリ装置本体Ａとの通信を行うための電波の送受信を行う。このように、表示ユニットＢにユニット側アンテナ５ｃを備えることで、ファクシミリ装置本体Ａと無線によって通信することが可能となる。
【００９８】
表示ユニットＢは、表示させる情報をユーザが確認できるよう、ある程度の大きさを有しつつ、携帯できる大きさであることが必要であるので、表示パネル２３以外の各部については、可能な限り小さいほうが望ましい。したがって、表示ユニットＢには、表示パネル２３以外の各部、たとえばユニット側操作キー２１のユニット規模を最小限にする必要がある。これには、ユニット側操作キー２１の操作キーの数を少なくしたり、また、表示パネル２３にタッチセンサを組み込み、ユニット側操作キー２１には含まれない操作キー４や、ダイヤルキー３などの機能を持たせたりすることで、対応することができる。なお、ユニット側操作キー２１の操作キーの数を少なくしても、操作キーを複数組み合わせるなどの入力方法を用いたり、また、タッチセンサを活用したりして、重要な機能の全てを表示ユニットＢで行わせる構成にすることもできる。
【００９９】
また、表示ユニットＢには操作キーが備えられていなくてもよい。この場合、表示ユニットＢからファクシミリ装置本体Ａに対して指示を送信することはできないが、表示ユニットＢは、ファクシミリ装置本体Ａでファクシミリ受信した送信された画像データに基づく画像や、メニュー画面などのような表示ユニットＢが本来表示する画像を、ファクシミリ装置本体Ａから無線通信で受信し、表示パネル２３に表示させることはできる。表示パネル２３にメニュー画面が表示された場合、ユーザは、この表示に基づいてファクシミリ装置本体Ａ、あるいはファクシミリ装置子機Ｃを操作することによって、所望の処理を行うことができる。
【０１００】
表示ユニットＢは、ファクシミリ装置本体Ａから分離されると、自由に持ち運ぶことができるようになるので、ファクシミリ装置本体Ａの設置場所に限られず、様々な場所で使用することができる。また、表示ユニットＢとファクシミリ装置本体Ａとは無線による通信が可能であるので、表示ユニットＢからファクシミリ装置本体Ａを操作することが可能となり、ファクシミリ装置Ｆ全体の利便性が大幅に向上する。表示ユニットＢがファクシミリ装置本体Ａと有線で接続されていると、表示ユニットＢを自由に移動させたりできる自由度が大幅に制限されるが、電波、赤外線などの無線で接続することにより、自由度は制限されず、ファクシミリ装置本体Ａからの制約は受けない。
【０１０１】
また、表示ユニットＢに撮像部２２が備えられることにより、表示ユニットＢによって、画像データを撮影することができる。さらに、この場合、表示ユニットＢをファインダとして利用することができるので、便利である。
【０１０２】
表示ユニットＢは、ファクシミリ装置子機Ｃと同様に、ファクシミリ装置本体Ａの表示ユニットとは別個に備えられてもよい。すなわち、表示ユニットＢは、ファクシミリ装置本体Ａに対する着脱機構を備えなくともかまわない。この場合においても表示ユニットＢの着脱機構以外の構成は同様である。
【０１０３】
このように構成される表示ユニットＢによれば、ファクシミリ装置本体Ａに装着されているときには、ファクシミリ受信した画像データ、画像読取部１０で読取った画像データ、および撮像部２２で撮像した画像データを画像として表示パネル２３に表示させたり、ガイダンス情報を表示させたりすることができる。使用者は、表示パネル２３に表示された画像によって、画像データの内容を確認することができる。たとえば、ファクシミリ受信した画像データをまず、表示パネル２３で確認し、不要なものであれば画像として印刷せずに、画像データを消去することができる。また、画像読取部１０で読取った画像データは、表示パネル２３で確認してからファクシミリ送信を指示することができるので、操作性および利便性が向上される。
【０１０４】
また、表示ユニットＢは、ファクシミリ装置本体Ａの動作環境を決定する各種パラメータの設定も、表示ユニットＢ、操作キー４およびダイヤルキー３によって行うことができる。これによって表示ユニットＢがファクシミリ装置本体Ａから離脱させているときには、表示ユニットＢに備えられる撮像部２２によって作成された画像データを取込んで、その画像を表示パネル２３に表示することができ、さらに前記画像データをファクシミリ装置本体Ａに無線によって送信して、情報収集などの様々な用途に活用することができ、利便性を向上することができる。たとえば、撮像部２２によって作成された画像データを無線通信によってファクシミリ装置本体Ａに送信することによって、様々な画像データをファクシミリ装置本体Ａに記憶させ、必要に応じて取り出し、表示パネル２３に再生することができる。さらに、表示ユニットＢを撮像部２２のファインダとして用いることができるので、表示ユニットＢの利用範囲が広がり、利便性を高めることができる。
【０１０５】
図５（ａ）はファクシミリ装置子機Ｃの構成を示すブロック図であり、図５（ｂ）はファクシミリ装置子機Ｃに装備されている個別ユニット３１４の構成を示す図である。
【０１０６】
ファクシミリ装置子機Ｃは、表示部４１、記憶部４２、スピーカ４５およびマイク４６を備えた音声ユニット４３、制御部４４、コンパンダＩＣ（IntegratedCircuit）４７、ＲＦユニット（Radio Frequency）４８、操作キー４９、ダイヤルキー４１１およびアンテナ４１２から構成される。
【０１０７】
小型化の必要性から、ファクシミリ装置子機Ｃには各構成部は小型のものが用いられる。なお、ファクシミリ装置本体Ａとは異なり、ファクシミリ装置子機Ｃには網制御部２が備えられていない。このため、ファクシミリ装置子機Ｃと電話回路網２１を通じての外部の通話装置との通話はファクシミリ装置本体Ａを介して行われる。また、ファクシミリ装置子機Ｃは、ファクシミリ装置本体Ａとは無線によって通信することができる。
【０１０８】
制御部４４は、記憶部４２とあいまって各部の動作状態を把握し、各部に対して動作を指令する。さらに制御部４４は、ファクシミリ装置本体Ａとの通話を制御する制御チャネル・通話チャネルの空きの確認、ファクシミリ装置本体ＡのＩＤ（Identification）の確認、ファクシミリ装置子機ＣのＩＤの確認・送信などを行うため、コードレス用制御回路８と密接に通信することにより、通話路の確立や切断に必要な処理を行う。すなわち、ファクシミリ装置本体Ａのコードレス用制御回路８の通信相手として、ファクシミリ装置子機Ｃ側の制御を受け持つ。
【０１０９】
ＲＦ（Radio Frequency）ユニット４８は、音声・制御信号の電波を、子機側アンテナ４１２を通じて送受信するチューナを中心とするユニットである。なお、ファクシミリ装置子機Ｃと表示ユニットＢとはファクシミリ装置本体Ａを介して通信することができるので、ファクシミリ装置子機Ｃの操作キー４９を表示ユニットＢのユニット側操作キー２１の代わりに用いることができる。この場合、ユーザはファクシミリ装置子機Ｃの操作キー４９を操作することによって、表示ユニットＢに指示を送信することができる。たとえば、ファクシミリ装置子機Ｃによって、ファクシミリ装置本体Ａでファクシミリ受信された画像データを表示ユニットＢに送信するよう指示することができる。
【０１１０】
コンパンダＩＣ４７は、送信する信号を非線型に圧縮し、周波数の帯域の範囲内で音声の大きさにかわらず明解な会話が行われるようにするとともに、受信した圧縮信号を伸張し復調する。音声ユニット４３には、アンプが装備され、音声をスピーカ４５で発声させたり、マイク４６の入力音声信号の増幅を行ったりする。
【０１１１】
ダイヤルキー４１１、操作キー４９は、ファクシミリ装置本体Ａのダイヤルキー３、操作キー４とほぼ同じ機能を持ち、ユーザは、ダイヤルキー４１１によって、ファクシミリ送信先の電話番号などを入力する。また、ユーザは操作キー４によってファクシミリ送信などを指示する。
【０１１２】
表示部４１は、ユーザにファクシミリ送信先の電話番号などの情報を表示、ガイダンス情報を表示する。表示部４１、ダイヤルキー４１１および操作キー４９は、データ、パラメータなどを入力するために使用される。
【０１１３】
図５（ｂ）は、ファクシミリ装置子機Ｃに装備されている個別ユニット３１４の構成を示す図である。個別ユニット３１４は、子機クレードル３１２およびクレードル電源３１３から構成され、ファクシミリ装置子機Ｃを充電する。クレードル電源３１３は、充電用ＤＣ電源３１３から成る。
【０１１４】
図６は、ファクシミリ装置子機Ｃの斜視図である。
図に示すようにファクシミリ装置子機Ｃは、ユーザが把時しやすいように、比較的細長い略長方体状に形成された筺体Ｃ１を有し、この筺体Ｃ１の一表面にスピーカ４５、表示部４１、ダイヤルキー４１１、操作キー４９およびマイク４６を備える。筺体Ｃ１の背面側の上端にはアンテナ４１２が備えられている。ユーザは、ダイヤルキー４１１は通話先の電話番号を特定し、操作キー４９はファクシミリ送信などを指示する。また、ユーザはスピ−カ３１０およびマイク４６にて通話ができる。
【０１１５】
図７は、撮像部２２の表示ユニットＢへの接続方法を説明するための図である。
【０１１６】
撮像部２２は、略長方体状の平板状の筺体２２ａから成り、筺体２２ａの表面にはカメラ部３１が備えられている。なお、本実施形態におけるカメラ部３１は、撮像部２２に固定されており、カメラ部３１のみを動かして撮影方向を変えることができない。
【０１１７】
筺体２２ａの左端には表示ユニットＢの筺体Ｂ１に接続するための接続コネクタ６３が設けられ、接続コネクタ６３の表面には電極６１が配置される。電極６１は、接続コネクタ６３の上面および下面の両方、あるいはいずれか一方に設ける。ここで、接続コネクタ６３の上面とは光軸方向を向いている面をいい、下面とは上面の反対側の面をいうものとする。
【０１１８】
撮像部２２の表示ユニットＢへの接続は、この接続コネクタ６３を表示ユニットＢの接続レセプタクル６４に挿入し、装着することによって行う。
【０１１９】
接続レセプタクル６４の内壁には、接続コネクタ６３の電極６１に対応するように電極が設けられており、接続コネクタ６３の電極６１と接続レセプタクル６４の電極とが接触することによって電気的に接続される。なお、接続レセプタクル６４の内壁のうち、表示ユニットＢの表示パネル２３が備えられている側を上面といい、その反対側の面を下面というものとする。接続コネクタ６３は挿入部であり、接続レセプタクル６４は挿入凹所６４ａを有する部材である。
【０１２０】
撮像部２２は、表示ユニットＢの正面方向と同方向、あるいは反対方向の被写体を撮像することができる。表示ユニットＢの正面方向と同方向の被写体を撮像する場合、接続コネクタ６３をカメラ部３１が表示ユニットＢの向いている方向と同方向に向けた装着姿勢で、接続レセプタクル６４に挿入する。一方、表示ユニットＢの正面方向と同方向の被写体を撮像する場合、接続コネクタ６３をカメラ部３１が表示ユニットＢの向いている方向と反対方向に向けた装着姿勢で、接続レセプタクル６４に挿入する。すなわち、撮像部２２を反転させて表示ユニットＢに接続することができる。これによって、撮像部２２は、表示ユニットＢの正面方向だけでなく、その反対の方向の被写体も撮影することができる。したがって、撮像部２２の撮影範囲が広がる。また、光軸方向を変更するのには、撮像部２２を装着し直すだけでよく、変更作業の手間が省ける。
【０１２１】
表示ユニットＢを本体Ａからはずした状態で、風景や人物などを撮像する場合は、表示ユニットＢの向いている方向と反対方向に撮像部２２を向けて接続させる必要があり、撮像部２２は上下が逆転した状態で表示ユニットＢに接続されることとなり、撮像部２２に備えられたカメラ部３１は固定されていることから、撮影される画像も上下が逆転してしまう。画像の上下が逆転していると、表示ユニットＢの表示パネル２３には上下が逆転した画像が表示されることになるので、これを防止するために画像の向きを調整する必要がある。
【０１２２】
たとえば、光軸方向が検出できれば、画像の向きを調整することができる。光軸方向は、撮像部２２がいずれの方向を向いて接続された状態で、撮影しているのかによって判断できる。撮像部２２の向きが認識できれば、撮像部２２の向きに基づく光軸方向が定まるからである。したがって、接続された撮像部２２の向きを検出することが必要となる。この撮像部２２の向きを検出する方法として、たとえば、撮像部２２の装着姿勢、すなわち撮像部２２の向きに基づいて検出する方法がある。
【０１２３】
以下、撮像部２２の接続状態に基づいて、撮像部２２の向きの検出方法について説明する。図８は、接続コネクタ６３に設けられた切欠き７１によって撮像部２２の向きを検出する方法を説明するための図である。
【０１２４】
図のように、接続コネクタ６３の上面の一部分を切り欠くことにより、切欠き７１を設ける。接続レセプタクル６４の内壁の上面には、スイッチレバー７２を設け、接続コネクタ６３が接続レセプタクル６４に挿入されると、スイッチレバー７２が押されて、接点同士の接続状態が切り替わるよう構成されている。これによって、検出回路に電流が流れ、電圧が検出される。なお、検出回路は検出手段であり、切欠きは被検出部である。
【０１２５】
カメラ部３１が表示ユニットＢの正面方向と同方向を向くよう撮像部２２を接続した場合、スイッチ７２は押し上げられることはないので、電流が流れない。他方、カメラ部３１が前記と反対の方向を向くよう撮像部２２を接続した場合、スイッチ７２は押し上げられるので、電流が流れる。それぞれの場合において、検出回路は電圧の有無を検出するので、検出回路の検出結果によって、接続コネクタ６３が挿入された向きを検出でき、撮像部２２の向きを検出することができる。
【０１２６】
なお、撮像部２２の向きを検出する際には、検出回路で電圧の有無を検出するとともに、接続コネクタ６３が接続レセプタクル６４に挿入されているか否かを検出する機能も必要となる。これは、スイッチの検出回路だけでは、カメラ部３１が正面を向くように接続している場合とそうでない場合との違いが検出できないからである。
【０１２７】
また、電極の配置方法によって撮像部２２の向きを検出することができる。たとえば、接続レセプタクル６４の上面および下面の両面に電極を設け、接続コネクタ６３の上面あるいは下面のいずれか一方のみに電極６１を設ける。
【０１２８】
こうすることで、電流が流れるのは、接続レセプタクル６４の上面あるいは下面のいずれか片面の電極のみとなる。そして、検出回路によって電流が流れ、電圧がかかる電極はいずれの面に設けられたものであるのかを判断することで、撮像部２２の向きを検出することができる。このように、接続レセプタクル６４の電極のうち電流が流れない電極が被検出部となる。
【０１２９】
具体的には、接続コネクタ６３の上面のみに電極６１を設けた場合、カメラ部３１が正面を向いた状態で、撮像部２２の接続コネクタ６３を接続レセプタクル６４に挿入すると、上面の電極６１と接続レセプタクル６４の上面の電極とが接続され、上面側にのみ電流が流れる。
【０１３０】
また、カメラ部３１が表示ユニットＢの背面に向いた状態で、撮像部２２の接続コネクタ６３を接続レセプタクル６４に挿入すると、下面の電極６１と接続レセプタクル６４の上面の電極とが接続され、下面側にのみ電流が流れる。
【０１３１】
したがって、上面側に電圧がかかった電極が検出された場合には撮像部２２は正面を向いており、下面側に電圧がかかった電極が検出された場合には撮像部２２は背面を向いていることになる。このように、電極の配置によって、撮像部２２がいずれの方向で装着されているのかが判断できるようになる。
【０１３２】
さらに、電極の設け方を非対称にする方法もある。たとえば、接続コネクタ６３の上面には４本の電極６１を設け、下面には３本の電極６１を設ける。接続レセプタクル６４の内壁の上下面ともに４本の電極を設ける。こうすることで、接続コネクタ６３を接続レセプタクル６４に接続した際に、いずれかの面に電圧がかからない電極が生じる。この電圧がかからない電極を検出することで、撮像部２２の向きを検出することができる。このように、接続レセプタクル６４の電極のうち電圧がかからない電極が被検出部となる。
【０１３３】
前述の例では、下面側に電圧がかからない電極が検出された場合には撮像部２２のカメラ部３１は正面を向いており、上面側に電圧がかからない電極が検出された場合には光軸方向は表示ユニットＢの正面方向と反対の方向を向いていることになる。
【０１３４】
以上のように、電極の配置によって、撮像部２２がいずれの方向で装着されているのかが判断できるようになる。
【０１３５】
【発明の効果】
以上のように本発明によれば、情報処理装置を構成する表示ユニットは、情報処理装置本体から取り外された状態でも、情報処理装置本体からの表示側信号に基づいて画像や情報処理結果を表示することができる。
【０１３６】
これによって、表示ユニットに操作指示手段が備えられているので、操作指示手段によって、情報処理装置本体に対し、動作指示をすることができ、操作性に優れるものとなる。たとえば、情報処理装置がファクシミリ装置である場合、ファクシミリ装置本体が情報処理を行うことによって作成した画像データを、表示ユニットに送信するよう指示することができるので、情報処理装置本体にて作成された画像データのうち、ユーザの所望の画像データを選択して表示手段に表示させることができ、利便性が高まる。
【０１３７】
また本発明によれば、表示ユニットに撮像ユニットが備えられることにより、表示手段は撮像手段によって作成された画像データを取り込むことができ、また、これを情報処理装置本体に無線によって送信することができるので、情報収集など様々な用途に活用することができ、利便性が高まる。たとえば、撮像手段によって作成された画像データを無線通信によってファクシミリ装置などの情報処理装置の本体に送信することで、様々な画像データをファクシミリ装置本体に記憶させることができる。また、表示ユニットを撮像ユニットのファインダとして用いることもできるので、表示手段の利用範囲が広がり、利便性が高まる。
【０１３８】
また本発明によれば、撮像ユニットは着脱可能であり、また、複数の装着姿勢に応じて撮像手段の光軸方向を複数変えて装着することが可能となるので、撮像手段の撮影範囲が広がる。また、装着姿勢がいずれの方向であっても、装着がなされると撮像ユニットは電気的に接続されるので、光軸方向を変更する場合には、撮像ユニットを装着し直すだけでよく、変更作業の手間が省ける。
【０１３９】
また本発明によれば、表示ユニットを情報処理装置本体に装着された状態では操作表示部として機能させ、情報処理装置本体から離脱させた状態では撮像装置として機能させることができるので、表示ユニットの使用上の自由度および利用範囲が格段に広がり、使用者の利便性を向上することができる。
【０１４０】
また本発明によれば、装着姿勢を検出することによって、これに基づく光軸方向はいずれの方向であるかを判断できるようになる。
【０１４１】
また本発明によれば、装着姿勢を検出することによって、これに基づいて撮像ユニットがいずれの方向で装着されているのかが判断できるようになる。
【０１４２】
また本発明によれば、被検出部を設け、その被検出部の位置が挿入凹内のいずれの位置にあるかを判断することによって、装着姿勢を検出することができるので、装着姿勢に基づく光軸方向を検出することができる。
【図面の簡単な説明】
【図１】ファクシミリ装置Ｆの斜視図である。
【図２】ファクシミリ装置親機Ｄの構成を示すブロック図である。
【図３】ファクシミリ装置親機Ｄの斜視図である。
【図４】表示ユニットＢを拡大した斜視図である。
【図５】（ａ）はファクシミリ装置子機Ｃの構成を示すブロック図であり、（ｂ）はファクシミリ装置子機Ｃに装備されている個別ユニット３１４の構成を示す図である。
【図６】ファクシミリ装置子機Ｃの斜視図である。
【図７】撮像部２２の表示ユニットＢへの接続方法を説明するための図である。
【図８】接続コネクタ６３に設けられた切欠き７１によって撮像部２２の向きを検出する方法を説明するための図である。
【符号の説明】
１  送受話器
２  網制御部
３，４１１  ダイヤルキー
４，４９  操作キー
５ａ，５ｂ，４１２  アンテナ
６  モデム
７，４４  制御部
８  コードレス用制御回路
９  印刷部
１０  画像読取部
１１  画像記憶部
５ｃ  ユニット側アンテナ
２１  ユニット側操作キー
２２  撮像部
２３  表示パネル
２４  ユニット側通信制御部
２５  ユニット側記憶部
２６  ユニット側制御部
３１  カメラ部
３８  原稿・記録紙カセット
３９  原稿ガイド
４１  表示部
４２  記憶部
４３  音声ユニット
４５  スピーカ
４６  マイク
４７  コンパンダＩＣ（Integrated Circuit）
４８  ＲＦ（Radio Frequency）ユニット
６１  電極
６３  接続コネクタ
６４  接続レセプタクル
６４ａ  挿入凹所
７１  切欠き
７２  スイッチ
１１０  本体側通信制御部
３１０  原稿・記録紙排紙口
Ａ  ファクシミリ装置本体
Ｂ  表示部
Ｃ  ファクシミリ装置子機
Ｄ  ファクシミリ装置親機
Ｆ  ファクシミリ装置
Ａ１，Ｂ１，Ｃ１，２２ａ  筺体
【図１】
2004164574.tif 000003
【図２】
2004164574.tif 000004
【図３】
2004164574.tif 000005
【図４】
2004164574.tif 000006
【図５】
2004164574.tif 000007
【図６】
2004164574.tif 000008
【図７】
2004164574.tif 000009
【図８】
2004164574.tif 000010